【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な特定状態に制御する遊技機であって、
所定状態よりも前記特定状態に制御され易い有利状態に制御する状態制御手段と、
特定演出を実行するか否かを決定する特定演出決定手段と、
前記特定演出決定手段が前記特定演出を実行すると決定したことにもとづいて、前記特定演出を実行する特定演出実行手段と、
前記特定演出の内容を説明する説明演出を実行するか否かを決定する説明演出決定手段と、
前記説明演出決定手段が前記説明演出を実行すると決定したことにもとづいて、前記説明演出を実行する説明演出実行手段とを備え、
可変表示態様が特定の態様になることを、当該可変表示の前に実行される複数回の可変表示において予告する連続予告演出を実行可能であり、
前記説明演出決定手段は、前記特定演出決定手段が前記特定演出を実行しないと決定した場合よりも前記特定演出を実行すると決定した場合に、高い割合で前記説明演出を実行すると決定し、
前記説明演出は、複数種類あり、該複数種類の前記説明演出のうち一の種類の前記説明演出を選択する割合は他の種類の前記説明演出を選択する割合とは異なり、
前記連続予告演出が実行されるときに前記説明演出が連続して実行されることが許容され得る
ことを特徴とする遊技機。
【請求項２】
可変表示を行い、遊技者にとって有利な特定状態に制御する遊技機であって、
所定状態よりも前記特定状態に制御され易い有利状態に制御する状態制御手段と、
特定演出を実行するか否かを決定する特定演出決定手段と、
前記特定演出決定手段が前記特定演出を実行すると決定したことにもとづいて、前記特定演出を実行する特定演出実行手段と、
前記特定演出の内容を説明する説明演出を実行するか否かを決定する説明演出決定手段と、
前記説明演出決定手段が前記説明演出を実行すると決定したことにもとづいて、前記説明演出を実行する説明演出実行手段とを備え、
可変表示態様が特定の態様になることを、当該可変表示の前に実行される複数回の可変表示において予告する連続予告演出を実行可能であり、
前記説明演出決定手段は、前記特定演出決定手段が前記有利状態に制御されていないときに前記特定演出を実行すると決定した場合よりも、前記有利状態に制御されているときに前記特定演出を実行すると決定した場合に、高い割合で前記説明演出を実行すると決定し、
前記説明演出は、複数種類あり、該複数種類の前記説明演出のうち一の種類の前記説明演出を選択する割合は他の種類の前記説明演出を選択する割合とは異なり、
前記説明演出が連続して実行されることが許容され得る
ことを特徴とする遊技機。
【手続補正２】
【補正対象書類名】明細書
【補正対象項目名】００１０
【補正方法】変更
【補正の内容】
【００１０】
本発明による遊技機は、可変表示を行い、遊技者にとって有利な特定状態（例えば、大当り遊技状態）に制御する遊技機であって、所定状態（例えば通常状態）よりも特定状態に制御され易い有利状態（例えば確変状態）に制御する状態制御手段（例えば、遊技制御用マイクロコンピュータ５６０におけるステップＳ３０７（大当り終了処理）におけるＳ１７２ＡおよびステップＳ３１０（小当り終了処理）を実行する部分）と、特定演出（例えば、確変示唆演出）を実行するか否かを決定する特定演出決定手段（例えば、演出制御用マイクロコンピュータ１００におけるステップＳ１５０１〜Ｓ１５０３を実行する部分）と、特定演出決定手段が特定演出を実行すると決定したことにもとづいて、特定演出を実行する特定演出実行手段（例えば、演出制御用マイクロコンピュータ１００におけるステップＳ１８４５を実行する部分）と、特定演出の内容を説明する説明演出（例えば、図３５（Ｃ）に示す説明演出）を実行するか否かを決定する説明演出決定手段（例えば、演出制御用マイクロコンピュータ１００におけるステップＳ１７０１〜Ｓ１７０３を実行する部分）と、説明演出決定手段が説明演出を実行すると決定したことにもとづいて、説明演出を実行する説明演出実行手段（例えば、演出制御用マイクロコンピュータ１００におけるステップＳ１８４５を実行する部分）とを備え、可変表示態様が特定の態様になることを、当該可変表示の前に実行される複数回の可変表示において予告する連続予告演出を実行可能であり、説明演出決定手段は、特定演出決定手段が特定演出を実行しないと決定した場合よりも特定演出を実行すると決定した場合に、高い割合で説明演出を実行すると決定し（例えば、図４８（Ａ）に示す確変示唆演出の非実行のときの潜伏時説明演出決定テーブルよりも図４８（Ａ）に示す確変示唆演出の実行のときの潜伏時説明演出決定テーブルの方が「パターンＡ〜Ｃ」に割り当てた判定値の数が多い）、説明演出は、複数種類あり、該複数種類の説明演出のうち一の種類の説明演出を選択する割合は他の種類の説明演出を選択する割合とは異なり、連続予告演出が実行されるときに説明演出が連続して実行されることが許容され得ることを特徴とする。そのような構成によれば、特定演出の内容の説明（説明演出）と特定演出の出現とを関連付けることにより、特定演出の内容の説明が行われるか否か（説明演出が実行されるか否か）に対して興味を持たせることができ、遊技の興趣を向上させることができる。
【手続補正３】
【補正対象書類名】明細書
【補正対象項目名】００１２
【補正方法】変更
【補正の内容】
【００１２】
本発明による遊技機は、可変表示を行い、遊技者にとって有利な特定状態（例えば、大当り遊技状態）に制御する遊技機であって、所定状態（例えば通常状態）よりも特定状態に制御され易い有利状態（例えば確変状態）に制御する状態制御手段（例えば、遊技制御用マイクロコンピュータ５６０におけるステップＳ３０７（大当り終了処理）におけるＳ１７２ＡおよびステップＳ３１０（小当り終了処理）を実行する部分）と、特定演出（例えば、確変示唆演出）を実行するか否かを決定する特定演出決定手段（例えば、演出制御用マイクロコンピュータ１００におけるステップＳ１５０１〜Ｓ１５０３を実行する部分）と、特定演出決定手段が特定演出を実行すると決定したことにもとづいて、特定演出を実行する特定演出実行手段（例えば、演出制御用マイクロコンピュータ１００におけるステップＳ１８４５を実行する部分）と、特定演出の内容を説明する説明演出（例えば、図３５（Ｃ）に示す説明演出）を実行するか否かを決定する説明演出決定手段（例えば、演出制御用マイクロコンピュータ１００におけるステップＳ１７０１〜Ｓ１７０３を実行する部分）と、説明演出決定手段が説明演出を実行すると決定したことにもとづいて、説明演出を実行する説明演出実行手段（例えば、演出制御用マイクロコンピュータ１００におけるステップＳ１８４５を実行する部分）とを備え、可変表示態様が特定の態様になることを、当該可変表示の前に実行される複数回の可変表示において予告する連続予告演出を実行可能であり、説明演出決定手段は、特定演出決定手段が有利状態に制御されていないときに特定演出を実行すると決定した場合よりも、有利状態に制御されているときに特定演出を実行すると決定した場合に、高い割合で説明演出を実行すると決定し（例えば、図４８（Ａ）に示す「確変示唆演出の実行（通常状態）」のときの潜伏時説明演出決定テーブルよりも図４８（Ａ）に示す「確変示唆演出の実行（確変状態）」のときの潜伏時説明演出決定テーブルの方が「パターンＡ〜Ｃ」に割り当てた判定値の数が多い）、説明演出は、複数種類あり、該複数種類の説明演出のうち一の種類の説明演出を選択する割合は他の種類の説明演出を選択する割合とは異なり、説明演出が連続して実行されることが許容され得ることを特徴とする。そのような構成によれば、特定演出の内容の説明（説明演出）と特定演出の出現とを関連付けることにより、特定演出の内容の説明が行われるか否か（説明演出が実行されるか否か）に対して興味を持たせることができ、遊技の興趣を向上させることができる。